(57)【要約】  画像「ＣＩＤ」（発信者識別）機能を有する装置（１００）は、向上したエンターテインメント価値を提供し、スクリーンの焼き付きを防止することもできる。例示的な実施形態によれば、装置（１００）は、第１の複数画像と第１の電話番号との間の関連を示すデータを記憶するように動作するメモリ（１６）と、第１の電話番号からの電話呼び出しを受信することに応答して、第１の複数画像の表示を可能にするように動作するプロセッサ（１４）とを含む。
2010539848.tif 000002
【特許請求の範囲】
【請求項１】
遠距離通信装置を使用して画像を表示する方法（２００／３００）であって、
第１の複数画像を第１の電話番号と関連付けるステップ（２３０）と、
前記第１の電話番号からの電話呼び出しを受信することに応答して、前記第１の複数画像を表示するステップ（３４０）とを含むことを特徴とする方法（２００／３００）。
【請求項２】
第２の複数画像を第２の電話番号と関連付けるステップ（２３０）と、
前記第２の電話番号からの電話呼び出しを受信することに応答して、前記第２の複数画像を表示するステップ（３４０）とをさらに含むことを特徴とする請求項１に記載の方法（２００／３００）。
【請求項３】
前記表示するステップ（３４０）は、前記第１の複数画像の表示を循環させることを含むことを特徴とする請求項１に記載の方法（２００／３００）。
【請求項４】
ユーザのうちの１人が前記電話呼び出しに応答し、前記ユーザが前記電話呼び出しを完了することに応答して、前記第１の複数画像の前記循環を中断させることをさらに含むことを特徴とする請求項３に記載の方法（２００／３００）。
【請求項５】
前記関連付けるステップ（２３０）は、ユーザが前記第１の複数画像のうちの少なくとも１つを選択できるようにすることを含むことを特徴とする請求項１に記載の方法（２００／３００）。
【請求項６】
前記関連付けるステップ（２３０）は、ユーザが前記第１の複数画像のうちの少なくとも１つが表示される期間を選択できるようにすることを含むことを特徴とする請求項１に記載の方法（２００／３００）。
【請求項７】
前記関連付けるステップ（２３０）は、ユーザが前記第１の複数画像のうちの少なくとも１つのパラメータを変更できるようにすることを含むことを特徴とする請求項１に記載の方法（２００／３００）。
【請求項８】
前記関連付けるステップ（２３０）は、ユーザが前記第１の複数画像のうちの少なくとも１つが表示される時間的順序を選択できるようにすることを含むことを特徴とする請求項１に記載の方法（２００／３００）。
【請求項９】
第１の複数画像と第１の電話番号との関連を示すデータを記憶する手段（１６）と、
前記第１の電話番号からの電話呼び出しを受信することに応答して、前記第１の複数画像の表示を可能にする手段（１４）とを備える装置（１００）。
【請求項１０】
前記記憶手段（１６）は、第２の複数画像と第２の電話番号との関連を示すデータを記憶し、
前記可能にする手段（１４）は、前記第２の電話番号からの電話呼び出しを受信することに応答して、前記第２の複数画像の表示を可能にすることを特徴とする請求項９に記載の装置（１００）。
【請求項１１】
前記可能にする手段（１４）は、前記第１の複数画像が順々に１つずつ表示されることを可能にすることを特徴とする請求項９に記載の装置（１００）。
【請求項１２】
前記可能にする手段（１４）は、ユーザのうちの１人が前記電話呼び出しに応答し、前記ユーザが前記電話呼び出しを完了することに応答して、前記第１の複数画像の前記循環が中断されるようにすることを特徴とする請求項１１に記載の装置（１００）。
【請求項１３】
前記第１の複数画像のうちの少なくとも１つを選択するための手段をさらに備えることを特徴する請求項９に記載の装置（１００）。
【請求項１４】
前記第１の複数画像のうちの少なくとも１つが表示される期間を選択するための手段をさらに備えることを特徴とする請求項９に記載の装置（１００）。
【請求項１５】
前記第１の複数画像のうちの少なくとも１つのパラメータを変更するための手段をさらに備えることを特徴とする請求項９に記載の装置（１００）。
【請求項１６】
前記第１の複数画像のうちの少なくとも１つが表示される時間的な順序を選択するための手段をさらに備えることを特徴とする請求項９に記載の装置（１００）。
【請求項１７】
前記第１の複数画像は、動画の映像シーケンスを表すことを特徴とする請求項９に記載の装置（１００）。
【請求項１８】
前記第１の複数画像は前記記憶手段（１６）の中に記憶されることを特徴とする請求項９に記載の装置（１００）。
【請求項１９】
複数画像と電話番号との関連を示すデータを記憶するためのメモリ（１６）と、
前記メモリ（１６）に結合された、前記番号からの電話呼び出しを受信することに応答して前記複数画像の表示を可能にするためのコントローラ（１４）と、
前記コントローラ（１４）に結合された、コントローラ（１４）によって判定された方法で前記複数画像を表示するためのディスプレイ（１８）とを備えることを特徴とする装置（１００）。
【請求項２０】
前記ディスプレイ（１８）は、前記電話装置（１００）のベースユニットであることを特徴とする請求項１９に記載の装置（１００）。
【請求項２１】
前記コントローラ（１４）は、前記複数画像が順々に１つずつ表示されることを可能にすることを特徴とする請求項１９に記載の装置（１００）。
【請求項２２】
複数画像と電話番号との前記関連は、第１の複数画像と第１の電話番号との第１の関連と、第２の複数画像と第２の電話番号との第２の関連とを含むことを特徴とする請求項１９に記載の装置（１００）。
【請求項２３】
前記コントローラ（１４）は、ユーザのうちの１人が前記電話番号に応答し、前記ユーザが前記電話番号を完了することに応答して、前記複数画像の前記循環が中断されるようにすることを特徴とする請求項１９に記載の装置（１００）。
【請求項２４】
ユーザは前記複数画像のうちの少なくとも１つを選択することを特徴とする請求項１９に記載の装置（１００）。
【請求項２５】
前記複数画像のうちの前記少なくとも１つは、ベースユニットとハンドセットとの間で通信されることを特徴とする請求項２４に記載の装置（１００）。
【発明の詳細な説明】
【技術分野】
【０００１】
本実施形態は、一般に遠距離通信機能を有する装置に関し、より詳細には、向上したエンターテインメント価値を提供し、スクリーンの焼き付きを防止することもできる画像「ＣＩＤ」（発信者識別）機能を提供するための方法および装置に関する。
【背景技術】
【０００２】
ＣＩＤは、遠距離通信型デバイスのための一般に普及した機能である。従来のＣＩＤ機能は典型的に、発信者から着信する電話呼び出しを受信すると、（利用可能であれば）発信者の電話番号および名前を表示する。この方法では、ＣＩＤは、着信する電話呼び出しを受信する当事者が呼び出しに応える前に発信者の身元を知ることを可能にし、例えばその人たちの呼び出しを選別できる手段として使用されることが可能である。
【発明の概要】
【発明が解決しようとする課題】
【０００３】
ＣＩＤの別の形態は、発信者から着信する電話呼び出しを受信すると、その発信者に対応する単一の画像を表示することを伴う。例えば、ある携帯電話は、ユーザが事前に記憶された漫画イメージを発信者の電話帳の項目に結び付けることができるオプションを適用する。その後、その事前に記憶された漫画イメージは、その発信者から着信する電話呼び出しを受信すると表示される。このＣＩＤ形態は、発信者の身元を示すためには有用であると思われるが、これにはいくつかの関連した問題点がある。第１に、このＣＩＤの形態は、着信する電話呼び出しを受信すると単一の画像しか表示されないことから、限られたエンターテインメント価値しか提供しない。さらに、単一の画像しか表示されないために、スクリーンの焼き付きを回避することができず、その原因となる可能性さえある。
【課題を解決するための手段】
【０００４】
したがって、上述の問題に対処し、それによって向上したエンターテインメント価値を提供し、スクリーンの焼き付きを回避することもできる、画像ＣＩＤ機能を提供するための方法および装置が必要とされる。本実施形態は、これらの問題および／またはその他の問題に対処する。
【０００５】
本実施形態の一態様によれば、装置を使用して画像を表示する方法が開示される。例示的な一実施形態によれば、本方法は、第１の画像グループを第１の番号と関連付けるステップと、第１の番号から呼び出しを受信することに応答して、第１の画像グループを表示するステップとを含む。
【０００６】
本実施形態の別の態様によれば、ある装置が開示される。例示的な一実施形態によれば、この装置は、第１の画像グループと第１の電話番号との関連を示すデータを記憶するためのメモリなどの手段と、第１の電話番号からの電話呼び出しを受信することに応答して、第１の画像グループの表示を可能にするためのプロセッサなどの手段とを含む。
【０００７】
添付の図面と合わせて以下の説明を参照することによって、本実施形態の上述の特徴、その他の特徴および利点、ならびにそれらを達成するための方法はより明らかとなり、本実施形態はよりよく理解されるであろう。
【０００８】
本明細書で言及される具体例は、本開示の好ましい実施形態を示しており、そのような具体例は、いかなる方法でも本開示の範囲を限定するものとして解釈されるべきではない。
【図面の簡単な説明】
【０００９】
【図１】本開示の例示的な実施形態のブロック図である。
【図２】本開示の別の例示的な実施形態のブロック図である。
【図３】本開示の例示的な実施形態による画像ＣＩＤ機能を設定するためのステップを示す流れ図である。
【図４】本発明の例示的な実施形態による画像ＣＩＤ機能を実行するためのステップを示す流れ図である。
【発明を実施するための形態】
【００１０】
ここで図面、より具体的には図１を参照すると、本開示の態様による遠距離通信装置１００の実施形態のブロック図が示されている。一般に、遠距離通信装置は、限定されないが陸上通信線電話型デバイス、移動電話型デバイスまたはインターネット型電話デバイスを含んでもよい。図１に示されているように、遠距離通信装置１００はユーザ入力端末１０などのユーザ入力手段、Ｉ／Ｏ（入力／出力）ブロック１２などのＩ／Ｏ手段、プロセッサ１４などの処理手段、メモリ１６などのデータ記憶手段、ディスプレイ１８などの視覚型Ｉ／Ｏ手段、および音声トランシーバ２０などの聴覚型Ｉ／Ｏ手段を備える。以上の遠距離通信装置１００の要素のうちの一部は、１つまたは複数のＩＣ（集積回路）を使用して実装されてもよい。説明が明快であるために、特定の制御信号、電力信号および／またはその他の要素など、遠距離通信装置１００に関連した特定の従来の要素は、図１に示されなくてもよい。例示的な実施形態によって、図１の遠距離通信装置１００は電話通信機能を有する任意の型のデバイス、システムおよび／または装置として実装されてもよく、また例えば、音声および／または映像処理機能などのその他の機能を有するデバイス、システムおよび／または装置の中に組み込まれてもよい。
【００１１】
ユーザ入力端末１０は、ユーザからの入力を受け取り、ユーザの入力に対応する信号をプロセッサ１４へ出力するように動作する。例示的な実施形態によって、ユーザ入力端末１０は、数字およびアルファベットの入力機能を可能にする複数のキーを有するキーパッドとして実装されてもよい。ユーザ入力端末１０はまた、音声入力機能を含んでもよい。例えば、ユーザ入力端末１０は、使用中に（例えばＬＥＤ（発光ダイオード）および／またはその他の照明手段を介して）光ってもよい。
【００１２】
Ｉ／Ｏブロック１２は、遠距離通信装置１００のＩ／Ｏ機能を実行するように動作する。例示的な実施形態によって、Ｉ／Ｏブロック１２は、１つまたは複数の異なるネットワークのその他のデバイス、システムおよび／または装置へ信号を送信し、それらから信号を受信するように動作する。Ｉ／Ｏブロック１２はまた、１つまたは複数のアンテナ要素、プラグおよび／またはその他の型のＩ／Ｏ要素を含んでもよい。
【００１３】
プロセッサ１４は、遠距離通信装置１００の様々な信号処理および制御機能を実行するように動作する。例示的な実施形態によって、プロセッサ１４は、本開示の原理による画像ＣＩＤ機能を可能にするソフトウェアコードを実行するように動作する。この例示的な実施形態によって、プロセッサ１４は、画像に関連した電話番号から着信する電話呼び出しを受信することに応答して、ディスプレイ１８を介して複数の画像の表示を可能にする。少なくとも１つの例示的な実施形態によって、画像は（例えばスライドショー等として）順々に１つずつ表示される。この例示的な実施形態によって、プロセッサ１４はまた、ユーザが電話呼び出しに応答するとき、または電話呼び出しの完了するとき（すなわちユーザが電話を切ったとき）など、所定の条件を検出することに応答して、画像の循環が中断されるようにする。本明細書で、後に本開示の画像ＣＩＤ機能に関するさらなる詳細が示される。
【００１４】
プロセッサ１４はまた、ユーザ入力端末１０を介して行われるユーザ入力の検出および処理、メモリ１６からの読み出しおよびメモリ１６への書き込み、ダイヤルアウトを含む呼び出し処理機能および受信機能の実行、ディスプレイ１８を介して画像およびユーザインタフェースの表示を可能にすること、および／またはその他の機能を含めて、遠距離通信装置１００の機能を実行および／または可能にするように動作する。
【００１５】
メモリ１６は、遠距離通信装置１００のデータ記憶機能を実行するように動作する。例示的な実施形態によって、メモリ１６は実行可能ソフトウェアコード、イメージ（例えば静止画像および／または動く画像／映像）、スクリーン上の表示データ、以前にダイヤルした呼び出しおよび以前に受信した呼び出しの番号を含む電話番号、画像と電話番号との関連を示すデータを含むユーザ設定データおよび／またはその他データを含むデータを記憶する。
【００１６】
ディスプレイ１８は、プロセッサ１４の制御下で、視覚的表示を提供するように動作する。例示的な実施形態によって、ディスプレイ１８は、画像に関連した電話番号から着信する電話呼び出しを受信することに応答して、（例えば、順々に１つずつ、または動画の映像シーケンスとして）複数の画像の視覚的表示を提供する。ディスプレイ１８はまた、タッチスクリーンとして実装されてもよい。そのような場合、ディスプレイ１８は、ユーザ入力端末１０の１つまたは複数のキーに対応するタッチアイコンを含んでもよい。音声トランシーバ２０は、電話呼び出しの間にプロセッサ１４へ音声データを送信し、プロセッサ１４から音声データを受信するように動作する。
【００１７】
ここで図２を参照すると、本開示の態様による電話装置２００の別の実施形態のブロック図が示されている。電話装置２００は、ハンドセット２１０およびベースユニット２５０の２つの主要なブロックを備える。ハンドセット２１０はアンテナ回路２１２、受話口２１４、ディスプレイ２１６、ハンドセットプロセッサ２１８、メモリ２２０、送話口２２２およびキーパッド２２４を含む。ベースユニット２５０はインタフェース回路２５２、ユーザインタフェース２５４、ディスプレイ２５６、アンテナ回路２５８、ベースプロセッサ２６０、メモリ２６４およびハンドセット受け台２６４を含む。上述の電話装置２２０の要素のうちの一部は、１つまたは複数のＩＣ（集積回路）を使用して実装されてもよい。説明が明快であるために、特定の制御信号、電力信号および／またはその他の要素など、電話装置２００に関連した特定の従来の要素は図２に示されなくてもよい。
【００１８】
ハンドセット２１０の内部で、ハンドセットプロセッサ２１８はアンテナ回路２１２、受話口２１４、ディスプレイ２１６、メモリ２２０、送話口２２２およびキーパッド２２４に接続する。ハンドセットプロセッサ２１８は、アンテナ回路２１２を通じた音声、映像またはデータなどの情報の送受信、ならびにキーパッド２２４からのユーザ入力の復号を含めて、プロセッサ１４について上で述べられた機能と同様の機能を提供する。ハンドセットプロセッサ２１８はまた、ユーザのために、送話口２２２から受信され受話口２１４へ送信される電話信号と音声信号との間の変換および復号も行う。ハンドセットプロセッサ２１８はまた、アンテナ回路２１２を通じて届けられるか、またはメモリ２２０の中に記憶され、そこから取り出されてディスプレイ２１６に表示されてもよい画像情報を復号する。
【００１９】
ベースユニット２５０の内部で、ベースプロセッサ２６０はインタフェース２５２、ユーザインタフェース２５４、ディスプレイ２５６、アンテナ回路２５８、メモリ２６２およびハンドセット受け台２６４に接続する。ベースプロセッサ２６０は、アンテナ回路２５９を通じた音声、映像またはデータなどの情報の送受信、ならびにユーザインタフェース２５４からのユーザ入力の復号およびユーザインタフェース２５４へのユーザ状態の提供を含めて、プロセッサ１４について上で述べられた機能と同様の機能を提供する。
【００２０】
ベースユニット２５０またはハンドセットユニット２１０だけがディスプレイ要素を含んでもよいということに留意することが重要である。例えば、ディスプレイ２１６はハンドセット２１０に存在してはならない。ベースユニット２５０のディスプレイ２５６だけが存在してもよく、画像およびその他の情報を表示することができる。さらに、ハンドセットユニット２１０のディスプレイ２１６の表示機能と、ベースユニット２５０のディスプレイ２５６の表示機能とは異なっていてもよい。例えば、ディスプレイ２１６は電話番号などの白黒のテキスト情報を表示することができてもよい。ディスプレイ２５６は、カラーのイメージおよび画像を表示すること、ならびに電話に関連した別の情報を表示することができてもよい。
【００２１】
また、本明細書で説明されるベースプロセッサ２６０およびハンドプロセッサ２１８によって実行される機能は、互いに重複するだけでなく、引き立て合うものであってもよいことに留意することが重要である。例えば、ベースプロセッサ２６０は、ディスプレイ２１６およびディスプレイ２５６のうちの１つか、または両方で画像の表示を可能にすることを制御するディスプレイコントローラのような回路を含んでもよい。ハンドセットプロセッサ２１８は、ベースプロセッサ２６０のディスプレイコントローラに応答するディスプレイ制御回路だけを含んでもよい。
【００２２】
ベースプロセッサ２６０はまた、インタフェース２５２を通じて受信または送信される信号を復号し、制御する。インタフェース２５２は、外部デバイスおよびネットワークへの信号、ならびに外部デバイスおよびネットワークからの信号のために、インタフェースを提供する。好ましい実施形態で、インタフェース２５２は、音声呼び出しのために標準的な電話線呼び出しシステムに対するインタフェースを提供し、またデータの転送のためにコンピュータまたはインターネットネットワークに対するインタフェースも提供する。ベースプロセッサ２６０はまた、アンテナ回路２５８を通じて届けられるか、インタフェース２５２を通じて届けられるか、またはメモリ２６２に記憶され、そこから取り出されてディスプレイ２５６に表示されてもよい画像情報を復号する。
【００２３】
ハンドセット受け台２６４は、例えば使用されていない場合に、ハンドセット２１０のための固定の記憶場所を提供する。ハンドセット受け台２６４は、ハンドセット２１０の
バッテリ電力装置の再充電のため、またはハンドセット２１０とベースユニット２５０との間の直接データ通信のために、図示されていないハンドセット２１０上の接続へインタフェースする接続を含んでもよい。ベースユニット２５０はまた、電気コンセントへの接続およびベースユニットへの電力供給、ならびにハンドセット２１０の充電のために、図示されていない電力供給回路を含んでもよい。
【００２４】
ワイヤレス通信は、ハンドセット２１０ではアンテナ回路２１２を通じて、またベースユニット２５０ではアンテナ回路２５８を通じて確立される。インタフェース２５２へ接続された電話回線からハンドセット２１０のユーザへ音声情報を転送するための、ハンドセット２１０とベースユニット２５０との間の通信プロトコル。好ましい実施形態で、この通信プロトコルはＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）６・０規格に対応し、音声情報と、映像または制御情報に対応するデータとの分離転送を可能にする。ハンドセット２１０およびベースユニット２５０の両方はまた、ＷＬＡＮ（ワイヤレスローカルエリアネットワーク）または携帯電話ネットワークなどのその他のワイヤレス通信ネットワーク上で通信することができてもよい。
【００２５】
ここで図３を参照すると、本開示の態様の例示的な実施形態による画像ＣＩＤ機能を設定するためのステップを示す流れ図３００が表されている。例示および説明を目的として、図３のステップは主に図１の遠距離通信装置１００を参照して解説される。また図３のステップは、図２の電話装置２００などの実施形態を用いて解説されてもよい。図３のステップは単に例示的なものであり、いかなる方法でも本方法を限定することを目的としない。
【００２６】
ステップ３１０で、ユーザは画像ＣＩＤ機能を選択する。例示的な実施形態によって、ユーザは、遠距離通信装置１００によって提供される複数の利用可能な機能の一覧を示すディスプレイ１８を介して提供される画面上メニューに応答するユーザ入力端末１０を介して、１つまたは複数の入力を提供することによって、ステップ３１０で画像ＣＩＤ機能を選択してもよい。
【００２７】
ステップ３１０でユーザが画像ＣＩＤ機能を選択した後、プロセスの流れはユーザが発信者を選択するステップ３２０へ進む。例示的な実施形態によって、ユーザは、複数の個々の発信者の一覧を示すディスプレイ１８を介して提供される画面上メニューに応答するユーザ入力端末１０を介して１つまたは複数の入力を提供することによって、ステップ３１０で発信者を選択してもよい。個々の発信者は、以前に受信された呼び出しから記憶されたＣＩＤ記録として一覧にされてもよく、または名前、電話番号および／または個々の発信者に関連したその他の情報を含む遠距離通信装置１００の電話帳機能の中の項目として一覧にされてもよい。電話帳の中の項目は、例えばユーザによって手動で入力され、本明細書では述べられていない遠距離通信装置１００のための別の設定プロセスの間にメモリ１６の中に記憶されてもよい。
【００２８】
ステップ３２０でユーザが発信者を選択した後、プロセスの流れは、ユーザが複数の画像を発信者の電話番号に関連付けるか、または結び付けるステップ３３０へ進む。例示的な実施形態によって、ユーザは、ディスプレイ１８を介して表示される画像に応答するユーザ入力端末１０を介して１つまたは複数のユーザ入力を提供することによって、プロセッサ１４の制御下で、ステップ３３０で発信者の電話番号に関連付けられるべき画像の各々を選択してもよい。選択された画像は、遠距離通信装置１００のローカルメモリ（すなわちメモリ１６）の中、および／またはＩ／Ｏブロック１２を介して遠距離通信装置１００に動作可能に結合された別のデバイスのメモリの中に記憶されてもよい。例えば、選択された画像は遠距離通信装置１００に接続されたコンピュータに、および／またはインターネット上に配置されたリポジトリの中に記憶されてもよい。選択された画像はまた、１つまたは複数の画像の「コンテナ」（例えばフォルダ、ハードドライブ等）の中に含まれてもよい。さらに、選択された複数の画像は、静止画および／または動画の映像シーケンスを表してもよい。本明細書で言及される際、「画像」という用語は、写真および／またはグラフィックファイルイメージを含む任意の種類の画像を指してもよい。
【００２９】
記憶する画像を選択することに加えて、ユーザは画像を選択し、図２に示されているように、電話装置２００のハンドセット２１０とベースユニット２５０との間で選択された画像を通信または伝送する。例えば、１つの画像は選択されて、ハンドセット２１０に配置されたディスプレイ２１６上に表示するために、ベースユニット２５０からハンドセット２１０へ送信されてもよい。選択された画像は、着信呼び出しを受信するためのハンドセット上での表示に使用されてもよく、電話装置２００のベースユニット２５０に配置されたディスプレイ２５６上に表示するために選択された画像とは異なっていてもよい。別の実施例では、画像はハンドセット２１０を通じて受信され、記憶および今後の表示のためにベースユニット２５０へ送信されてもよい。
【００３０】
ステップ３３０の画像を関連付けるステップの間に、ユーザには、選択された画像のうちの１つまたは複数のもののパラメータを変更する機会が与えられてもよい。例えばトリミング、シェーディングおよびリサイジングのためのパラメータの他に、その他の知られている画像パラメータが変更されてもよい。またステップ３３０の画像を関連付けるプロセスの間に、ユーザには、対応する電話番号からの着信電話呼び出しが遠距離通信装置１００によって受信されるときに選択された画像が表示される方法を選択する機会が与えられてもよい。例えば、ユーザは、選択された画像がスライドショーとして表示されることを指定してもよい。このスライドショーは、画像を順々に１つずつ表示してもよい。画像はフルスクリーン方式で一度に全部表示されてもよく、または任意の数の切り換え効果および／または異なる角度の表示方向で、画像の「見本」のサイズが同じか、または異なることが可能な、選択された画像のうちの一部またはすべてのモザイクとして表示されてもよい。この方法では、ユーザは選択された画像のうちの１つまたは複数が表示される時間的な順序を選択してもよい、および／または選択された画像のうちの１つまたは複数が表示される期間を選択してもよい。別の実施例として、ユーザは、選択された順序で、選択された画像のうちの特定の１つが最初に表示され、その後、残りの選択された画像がランダムに表示されるということを指定してもよい。さらに別の実施例として、ユーザは、選択された画像のうちの特定の１つがその他の選択された画像よりも長い、または短い期間表示されるということを指定してもよい。異なる形態で異なる期間特定の画像を表示することの利点は、表示の視覚的なアピールとともに、ディスプレイ上のイメージの焼き付きの作用を減少させることなど、機能的な利点も向上させることができる。
【００３１】
またステップ３３０の画像を関連付けるプロセスの間に、ユーザには、対応する電話番号から着信する電話呼び出しが遠距離通信装置１００によって受信されるときに、どこに選択された画像が表示されるべきなのかを指定する機会が与えられてもよい。例えば、ユーザは、選択された画像のうちの一部またはすべてが遠距離通信装置１００のディスプレイ１８を介して、および／または１つまたは複数のデバイス（例えば基地局２５０、コンピュータモニタ、テレビのスクリーン等）を介して表示されるということを指定してもよい。ステップ２３０でのユーザの選択のすべてに対応するデータは、メモリ１６の中に記憶される。
【００３２】
ステップ３３０でユーザが複数の画像を発信者の電話番号に関連付けるか、または結び付けて、任意のその他の入力選択を与えた後、プロセスの流れは、ユーザに別の発信者を選択する機会が与えられるステップ３４０へ進む。ユーザがステップ３４０で別の発信者を選択することを選ぶ場合、プロセスの流れは、別の発信者が選択されるステップ３２０へ戻る。その後、先に説明されたように、ステップ３３０で選択された発信者は複数の画像と関連付けられる。代替として、ユーザがステップ３４０で別の発信者を選択することを選ばない場合、プロセスの流れは、ユーザがユーザ入力手段１０を介して遠距離通信装置１００に１つまたは複数の入力を提供することによって画像ＣＩＤ機能から抜け出すステップ３５０へ進む。
【００３３】
図３のステップは、デザインの選択によって異なってもよいということに留意されたい。例えば、ユーザには、実際に発信者を選択する（すなわち、示されている図２のステップ３２０）前に、所与の発信者に関連付けられるべき画像を選択する（すなわち、示されている図２のステップ３３０）機会が与えられてもよい。
【００３４】
ここで図４を参照すると、本開示の態様の例示的な実施形態による画像ＣＩＤ機能を実行ためのステップを示す流れ図４００が表されている。例示および説明の目的で、図４のステップもまた、主に図１の遠距離通信装置１００を参照して解説される。また図４のステップは、図２の電話装置２００などの実施形態を用いて解説されてもよい。図４のステップは単に例示的なものであり、いかなる方法でも本開示を限定することを目的としない。
【００３５】
ステップ４１０で、遠距離通信装置１００は着信電話呼び出しを受信する。例示的な実施形態によって、この着信電話呼び出しは発信者の電話番号を示し、プロセッサ１４によって検出されるＣＩＤ情報を含む。次にステップ４２０で、発信者の電話番号が画像と関連しているかどうかについて判定が行われる。例示的な実施形態によって、プロセッサ１４は、受信されたＣＩＤ情報を、図２で説明された画像ＣＩＤ機能のための設定プロセスからメモリ１６の中に記憶されたデータと比較することによって、ステップ４２０で判定を行う。
【００３６】
ステップ４２０での判定が否定的なものであれば、プロセスの流れは、遠距離通信装置１００がプロセッサ１４の制御下で通常の方法でＣＩＤ機能を提供するステップ４３０へ進む。例示的な実施形態によって、ステップ４３０で通常の方法でＣＩＤ機能を提供することは発信者の電話番号を表示することを含むが、発信者に関連した複数の画像を表示することは含まない。
【００３７】
代替として、ステップ４２０での判定が肯定的なものであれば、プロセスの流れは、図２で述べられた画像ＣＩＤ機能のための設定プロセスのステップ４３０の間に行われたユーザの選択によって、遠距離通信装置１００がプロセッサ１４の制御下で発信者の電話番号に関連付けられた画像を表示するステップ４４０へ進む。ステップ４４０で表示される画像は、遠距離通信装置１００のローカルメモリ（すなわちメモリ１６）、および／またはＩ／Ｏブロック１２によって遠距離通信装置１００に動作可能に結合された別のデバイスのメモリの中に記憶され、そこから取り出されてもよい。遠距離通信装置１００の中以外に画像が記憶されることを可能にすることによって、その他のデバイスの記憶装置を共有する利点を通じて低コストが達成される。ステップ４４０で表示される画像は、静止画および／または動画の映像シーケンスを表してもよい。
【００３８】
本明細書で先に示されているように、ユーザは、対応する電話番号から着信する電話呼び出しが遠距離通信装置１００によって受信されるときにステップ４４０で選択された画像が表示される方法を選択してもよい（すなわち図３のステップ３３０）。例えば、選択された画像はステップ４４０でスライドショーとして表示されてもよい。例えば、ユーザは、選択された画像がスライドショーとして表示されることを指定してもよい。このスライドショーは、画像を順々に１つずつ表示してもよい。画像はフルスクリーン方式で一度に全部表示されてもよく、または任意の数の切り換え効果および／または異なる角度の表示方向で、画像の「見本」のサイズが同じか、または異なることが可能な、選択された画像のうちの一部またはすべてのモザイクとして表示されてもよい。この方法では、ステップ４４０で選択された画像のうちの１つまたは複数が表示される時間的な順序、および／またはステップ４４０で選択された画像のうちの１つまたは複数が表示される期間は、図３のステップ３３０での以前のユーザの選択に基づいて制御されてもよい。少なくとも１つの例示的な実施形態によって、画像がステップ４４０でスライドショーとして順々に１つずつ表示される場合、プロセッサ１４は、ユーザが電話呼び出しに応答するとき、またはユーザが電話を切るときなどの電話呼び出しの完了するときなど、所定の条件を検出することに応答して、画像の循環が中断されるようにしてもよい。中断を可能にすることの利点は、例えばユーザが新たな電話呼び出しを受信してから素早く別の画像セットに表示を変更すること、または着信呼び出しに関するＣＩＤなどの新たな情報をユーザに知らせることを可能にすることである。
【００３９】
また本明細書で先に示されたように、ユーザは、対応する電話番号から着信する電話呼び出しが遠距離通信装置１００によって受信されるときに、ステップ４４０で選択された画像がどこに表示されるべきなのかを指定してもよい（すなわち図３のステップ３３０）。例えば、選択された画像は遠距離通信装置１００のディスプレイ１８を介して、および／または１つまたは複数のその他のデバイス（例えば基地局２５０、コンピュータモニタ、テレビのスクリーン等）を介してステップ４４０で表示されてもよい。複数の画像に加えて、発信者の電話番号および名前もまたステップ４４０でディスプレイ１８を介して表示されてもよい。
【００４０】
本明細書で説明されたように、本実施形態は、向上したエンターテインメント価値を提供し、スクリーンの焼き付きを防止することもできる画像ＣＩＤ機能を提供するための方法および装置を提供する。この実施形態は好ましい設計を有するものとして説明されてきたが、本実施形態はこの開示の精神および範囲内でさらに変更されることが可能である。したがって、本出願は本発明の一般原理を用いた本発明の任意の変形形態、使用法または改作物を包含することを目的とする。さらに本出願は、本開示が関係し、添付の特許請求の範囲に入る当業者には知られている、または慣習的な実務内に入る本開示からの変更を包含することを目的とする。
【図１】
2010539848.tif 000003
【図２】
2010539848.tif 000004
【図３】
2010539848.tif 000005
【図４】
2010539848.tif 000006
【国際調査報告】
2010539848.tif 000007
2010539848.tif 000008
2010539848.tif 000009